(57)【要約】【課題】旋回型作業機械の、油圧ポンプのサクションフィルタの清掃・交換などのメンテナンス作業を容易に行なえるようにする。【解決手段】旋回型作業機械が、下部走行体と、下部走行体上に旋回自在に取り付けられた上部旋回体と、上部旋回体に設置された、作動油タンク（１２）、作動油タンク（１２）の油を吸引し吐出する油圧ポンプ（１４）、油圧ポンプ（１４）と作動油タンク（１２）を結ぶポンプ吸込管路（１６）に設けられたサクションフィルタ（１８）、およびサクションフィルタ（１８）と作動油タンク（１２）の間の吸込管路（１６）に設けられた開閉弁（２０）を備えている。【選択図】図１
2006312832.tif 000002
【特許請求の範囲】
【請求項１】
下部走行体と、
下部走行体上に旋回自在に取り付けられた上部旋回体と、
上部旋回体に設置された、
作動油タンク、
作動油タンクの油を吸引し吐出する油圧ポンプ、
油圧ポンプと作動油タンクを結ぶポンプ吸込管路に設けられたサクションフィルタ、
およびサクションフィルタと作動油タンクの間の吸込管路に設けられた開閉弁
を備えている、ことを特徴とする旋回型作業機械。
【請求項２】
開閉弁が、
作動油タンク、油圧ポンプ、ならびにサクションフィルタの入口および出口それぞれに接続する４ポートを備え、
「開位置」においては、作動油タンクとサクションフィルタの入口、サクションフィルタの出口と油圧ポンプそれぞれが連通され、
「閉位置」においては、４ポートそれぞれが閉じられる、
ことを特徴とする請求項１記載の旋回型作業機械。
【発明の詳細な説明】
【技術分野】
【０００１】
本発明は、旋回型作業機械における、作動油タンクの油を吸引し吐出する油圧ポンプのサクションフィルタの配置構造に関する。
【背景技術】
【０００２】
旋回型作業機械、例えば油圧ショベルは、下部走行体の上に上部旋回体を備え、上部旋回体にエンジン、作業装置、油圧装置、運転装置などを備えている。油圧装置は、油圧シリンダ、油圧モーターなどの油圧アクチュエータを駆動するための、作動油を吐出する油圧ポンプおよび作動油を収容する作動油タンクを備えている。吐出された作動油は、方向切換弁のような制御機器を介して油圧アクチュエータに給排され作動油タンクに戻される。
【０００３】
作動油タンクには、戻り油に混入した異物をろ過するペーパーフィルタのようなリターンフィルタが、また油圧ポンプへの吸込油に異物が入るのを防止する金網のようなサクションフィルタが内蔵されている。これらのフィルタは定期的に取り外され、捕捉した異物の清掃、あるいは交換などのメンテナンスが行われる。
【０００４】
サクションフィルタの配置構造の典型例の一つは、サクションフィルタを作動油タンクの底面の油圧ポンプへの配管接続用のフランジ部に配置している。そしてフランジを取り外すことにより、サクションフィルタをタンクの下方に取り出しメンテナンスができるようにしている（例えば、特許文献１参照）。
【０００５】
サクションフィルタの配置構造の他の典型例は、サクションフィルタをタンク上面に形成した開口の蓋に棒状部材によって連結し配置している。そして蓋を取り外すことにより、サクションフィルタをタンクの上方に取り出しメンテナンスができるようにしている（例えば、特許文献２参照）。
【特許文献１】特開２００４−１４３７０７号公報（第２図）
【特許文献２】特開２０００−３１４１５１号公報（第４図）
【発明の開示】
【発明が解決しようとする課題】
【０００６】
しかしながら、上述したとおりの形態の従来の旋回型作業機械には、油圧ポンプのサクションフィルタの配置構造に関連して次のとおりの解決すべき課題がある。
【０００７】
（１）サクションフィルタをタンクの下方に取り出す配置構造の場合には、先ずタンクの作動油を排出しなければならず、また配管を分解する必要がある。さらにサクションフィルタ再組込後には配管を組立て、作動油を充填し直さなければならない。したがって、メンテナンス作業は容易でなく時間もかかる。特に下部走行体の上に装備されている上部旋回体は、運転視界向上、周囲障害物との接触防止などのために比較的小さく形成されており、作動油タンクも限られた空間に設置されているので、サクションフィルタのメンテナンスは容易でない。
【０００８】
（２）一方サクションフィルタをタンクの上方に取り出す配置構造の場合には、作業者は下部走行体の上の上部旋回体の作動油タンクの上部にアクセスして、サクションフィルタを取り外し、再組込みを行う。したがって、特に大型の作業機械の場合は高所での作業となりサクションフィルタのメンテナンスがやりにくい。また、フィルタをタンク内から上方に抜き出すときに捕捉されている異物をタンク内に落下させやすい。
【０００９】
本発明は上記事実に鑑みてなされたもので、その技術的課題は、上部旋回体に設置されている油圧ポンプのサクションフィルタの、清掃・交換などのメンテナンス作業を容易に行なうことができる旋回型作業機械を提供することである。
【課題を解決するための手段】
【００１０】
請求項１記載の発明は、下部走行体と、下部走行体上に旋回自在に取り付けられた上部旋回体と、上部旋回体に設置された、作動油タンク、作動油タンクの油を吸引し吐出する油圧ポンプ、油圧ポンプと作動油タンクを結ぶポンプ吸込管路に設けられたサクションフィルタ、およびサクションフィルタと作動油タンクの間の吸込管路に設けられた開閉弁を備えている、ことを特徴とする旋回型作業機械である。そして、サクションフィルタのメンテナンスは、作動油タンクの外において、開閉弁を閉じ作動油タンクの油が流出しないようにして行う。
【００１１】
請求項２記載の発明は、請求項１記載の旋回型作業機械の開閉弁が、作動油タンク、油圧ポンプ、ならびにサクションフィルタの入口および出口それぞれに接続する４ポートを備え、「開位置」においては、作動油タンクとサクションフィルタの入口、サクションフィルタの出口と油圧ポンプそれぞれが連通され、「閉位置」においては、４ポートそれぞれが閉じられるものである。そして、サクションフィルタをメンテナンスするときには、開閉弁を「閉位置」にし作動油タンク、油圧ポンプ、サクションフィルタそれぞれからの作動油の流出を止める。
【発明の効果】
【００１２】
請求項１記載の発明によれば、旋回型作業機械は、油圧ポンプと作動油タンクを結ぶポンプ吸込管路にサクションフィルタおよび開閉弁を備えているので、サクションフィルタをメンテナンスするときには、タンクの作動油を排出・再充填する必要がなく、配管を分解・再組立する必要もなく、また上部旋回体の上に上りタンクの上部にアクセスする必要もなく、さらにフィルタに捕捉された異物をタンク内に落下させないように細心の注意をはらう必要もない。したがって、油圧ポンプのサクションフィルタの、清掃・交換などのメンテナンス作業を容易に行なえる旋回型作業機械を提供できる。
【００１３】
請求項２記載の発明によれば、開閉弁は「閉位置」において作動油タンク、油圧ポンプ、サクションフィルタの入口および出口それぞれを閉じるので、油圧ポンプのサクションフィルタの、清掃・交換などのメンテナンス作業を、油を流出させることなく短時間で容易に行なえる旋回型作業機械を提供できる。
【発明を実施するための最良の形態】
【００１４】
以下、本発明に従って構成された旋回型作業機械について、旋回型作業機械の代表例である油圧ショベルにおける好適実施形態を図示している添付図面を参照して、さらに詳細に説明する。
【００１５】
図４を参照して説明する。油圧ショベル２は、下部走行体４と、下部走行体４上に水平方向に旋回自在に取り付けられた上部旋回体６を備えている。上部旋回体６には、作業装置８、運転装置１０、エンジン、油圧装置などが装備されている。油圧装置は、作業装置８などに備えられた油圧シリンダ、油圧モーターなどの油圧アクチュエータを駆動するための作動油を収容した作動油タンク１２を備えている。
【００１６】
図１および図２を参照して説明する。なお、図１および図２における管路は簡略して図示されており接続継手などは省略されている。上部旋回体６のフレーム７上には、作動油タンク１２の油を吸引して吐出する、エンジンに連結した油圧ポンプ１４、油圧ポンプ１４と作動油タンク１２を結ぶポンプ吸込管路１６に設けられたサクションフィルタ１８、および吸込管路１６のサクションフィルタ１８と作動油タンク１２の間に設けられた開閉弁２０を備えている。
【００１７】
後に詳述する開閉弁２０は、４個の管路接続ポート、すなわち作動油タンク１２に接続するタンクポートＴ、油圧ポンプ１４に接続するポンプポートＰ、サクションフィルタ１８の入口に接続するフィルタポートＦ１、サクションフィルタ１８の出口に接続するフィルタポートＦ２を備えている。
【００１８】
吸込管路１６は、作動油タンク１２とタンクポートＴを結ぶ管路１６ａ、フィルタポートＦ１とサクションフィルタ１８の入口Ｓ１を結ぶ管路１６ｂ、サクションフィルタ１８の出口Ｓ２とフィルタポートＦ２を結ぶ管路１６ｃ、ポンプポートＰと油圧ポンプ１４を結ぶ管路１６ｄを備えている。
【００１９】
作動油タンク１２は、箱状に形成された周知のものであり、その底部に形成された吸込口１２ａに管路１６ａが接続されている。
【００２０】
サクションフィルタ１８は、円筒状を成し鉛直に立設され上端が開口し下端に底面を有したケース１８ａと、ケース１８ａ内の底面に取り外し可能に立設された円筒状のフィルタ本体１８ｂと、ケース１８ａの上端開口に着脱可能に設けられた蓋１８ｃを備えている。ケース１８ａの外周面に管路１６ｂが接続される入口Ｓ１、底面に管路１６ｃが接続される出口Ｓ２が形成されている。フィルタ本体１８ｂは、底部が出口Ｓ２に開放され、円筒部および上端部が所定メッシュの金網で形成されている。
【００２１】
サクションフィルタ１８はフレーム７にブラケット（図示は省略されている）によって取り付けられている。
【００２２】
開閉弁２０について、図１および図２とともに図３を参照して説明する。開閉弁２０は、前述の４ポートＴ、Ｐ、Ｆ１、Ｆ２を有したロータリー弁であり、円筒状の弁ケース２０ａと、弁ケース２０ａの円筒の両開口端を塞ぐ上蓋２０ｂおよび下蓋２０ｃと、弁ケース２０ａ内に円筒の中心線回りに回動自在に上蓋２０ｂおよび下蓋２０ｃに取り付けられた板状の弁体２０ｄと、レバー２０ｅを備えている。弁ケース２０ａの円周部分に、周方向に等間隔で順次、タンクポートＴ、ポンプポートＰ、フィルタポートＦ２、およびフィルタポートＦ１が形成されている。
【００２３】
開閉弁２０は、４ポートＴ、Ｐ、Ｆ２、Ｆ１の接続を弁体２０ｄの回動操作位置によって、図３（ａ）に示すように「開位置」においてはタンクポートＴとフィルタポートＦ１、フィルタポートＦ２とポンプポートＰをそれぞれ連通させ、図３（ｂ）に示すように「閉位置」においては４ポートＴ、Ｐ、Ｆ２、Ｆ１それぞれを閉じる。
【００２４】
開閉弁２０の「開位置」および「閉位置」は、レバー２０ｅを上蓋２０ｂにマークされた「開」および「閉」に位置させることにより規定され保持される。
【００２５】
かくして、開閉弁２０を「開位置」（図３（ａ））にすると、作動油タンク１２の作動油は、図１〜図３に矢印で示すように、開閉弁２０を介しサクションフィルタ１８を通し油圧ポンプ１４に流れる。
【００２６】
開閉弁２０を「閉位置」（図３（ｂ））にすると、その４ポート、タンクポートＴ、ポンプポートＰ、フィルタポートＦ２、フィルタポートＦ１は、それぞれを閉じられ、吸込管路１６の作動油の流れが止められる。
【００２７】
したがって、サクションフィルタ１８の清掃・交換、すなわちフィルタ本体１８ｂのメンテナンスは、開閉弁２０をレバー２０ｅの操作により「閉位置」にし、サクションフィルタ１８の蓋１８ｃを取り外し、中のフィルタ本体１８ｂを取り出すことにより行われる。この作業は、上部旋回体６（図４）の側面に設置されている、上部旋回体内のエンジンなどの機器類の保守・点検のための側部カバー（図示は省略されている）を開けて行う。
【００２８】
上述したとおりの旋回型作業機械２の作用効果について説明する。
【００２９】
旋回型作業機械２は、油圧ポンプ１４と作動油タンク１２を結ぶポンプ吸込管路１６にサクションフィルタ１８および開閉弁２０を備えているので、サクションフィルタ１８をメンテナンスするときには、タンク１２の作動油を排出・再充填する必要がなく、配管を分解・再組立する必要もなく、また上部旋回体の上に上りタンクの上部にアクセスする必要もなく、さらにフィルタに捕捉された異物をタンク内に落下させないように細心の注意をはらう必要もない。したがって、サクションフィルタの、清掃・交換などのメンテナンス作業を容易に行なうことができる。
【００３０】
また、開閉弁２０は、「閉位置」において作動油タンク１２、油圧ポンプ１４、およびサクションフィルタ１８それぞれとの接続ポートを閉じるので、サクションフィルタ１８の清掃・交換などのメンテナンス作業を、油を流出させることなく短時間で容易に行なうことができる。
【００３１】
このメンテナンス作業は、比較的小型の旋回型作業機械においては地上から、比較的大型の旋回型作業機械においては下部走行体の上から行えるので、従来のようにタンクの上部に上る必要がない。
【００３２】
また、サクションフィルタが作動油タンクの外に設置されるので、作動油タンクの容積を小さくすることもできる。
【００３３】
以上、本発明を実施例に基づいて詳細に説明したが、本発明は上記の実施例に限定されるものではなく、例えば下記のように、本発明の範囲内においてさまざまな変形あるいは修正ができるものである。
【００３４】
本発明の実施例においては、開閉弁として４ポート弁が用いられているが、サクションフィルタおよび油圧ポンプなどの設置位置によって、作動油タンクからの作動油の流出を止めるだけでよければ、開閉弁は作動油タンクとサクションフィルタを結ぶ管路を開閉する２ポートの弁でもよい。
【図面の簡単な説明】
【００３５】
【図１】本発明に従って構成された旋回型作業機械の一実施形態の一部を示す側面図。
【図２】図１のＡ−Ａ矢印方向に見た平面図。
【図３】開閉弁の作動説明図で、（ａ）は「開位置」、（ｂ）は「閉位置」。
【図４】旋回型作業機械としての油圧ショベルの側面図。
【符号の説明】
【００３６】
２：油圧ショベル（旋回型作業機械）
４：下部走行体
６：上部旋回体
１２：作動油タンク
１４：油圧ポンプ
１６：ポンプ吸込管路
１８：サクションフィルタ
２０：開閉弁
【図１】
2006312832.tif 000003
【図２】
2006312832.tif 000004
【図３】
2006312832.tif 000005
【図４】
2006312832.tif 000006